(57)【要約】【課題】各対のよりを戻した場合に、各対の２本の心線の長さが異なり、漏話減衰量特性が劣化し易い。又、プラグハウジング製品毎の対のより戻し長が不均一になり、反射減衰量特性が劣化し易く、結線作業性に劣る。【解決手段】第１に、４５度以下のテーパ内壁面を有するワイヤガイドに絶縁心線を装着したケーブルをプラグハウジングに嵌合させたモジュラプラグであって、対より部がテーパ内壁面に突き当たり、常に各対の２本線の長さが同一。第２に、セパレータハウジングに絶縁心線を装着したケーブル端末をプラグハウジングに嵌合させたモジュラプラグで、セパレータハウジングに３箇所の離隔用孔を一列に形成し、かつ、その中央上部に１箇所の離隔用溝を配置し、その中央に形成された離隔用孔と溝の前方に、対より心線のよりを戻して配列する為のスペースを設けたセパレータハウジングと前記のワイヤガイドを係止させて一体化させた高速ＬＡＮ用モジュラプラグ。【選択図】　　　　図１
2004063160.tif 000002
【特許請求の範囲】
【請求項１】
４条の対より心線からなる絶縁心線をワイヤガイドで配列保持したワイヤガイド付きケーブルをプラグハウジングに嵌合させたモジュラプラグにおいて、ワイヤガイドの後方の上下方向に心線が挿入される水平方向に対して４５度以下のテーパ内壁面と両側の側壁を設け、絶縁心線の挿入と並列誘導を容易にする為に、後方に行く程、上下方向が幅広となる絶縁心線受入れ開口部を形成し、かつ、前記絶縁心線受入れ開口部の上下の内壁面には絶縁心線を誘導する為の突状のガイドレールがそれぞれ並行に形成され、上側内壁面に形成された突状のガイドレールは、上方壁の先端部迄延長して形成され、他方、下側内壁面に形成された突状のガイドレールは、ワイヤガイドの先端部迄延長して形成されており、かつ、絶縁心線を保持する為に前記上方のテーパ内壁面につなげて形成した上方壁と両側の側壁で箱状構造を形成し、前記上方壁の前方には壁なし開放部を形成し、壁なし開放部の両側には絶縁心線を保持する為の側壁が形成された構造を有するワイヤガイドに、４条の対より心線のよりを戻した後、並行整列部を形成し、その先端側をワイヤガイドの後方から挿入し、ワイヤガイド先端面から余長心線を引き出し、テーパ内壁面に対より部を突き当てることで、常により戻しの開始位置を一定に出来、かつ、ワイヤガイドの前端面を基準に容易に心線の切断が行え、更に、プラグハウジングの内部にはワイヤガイドをプラグハウジングに装着された金属接触端子の下部迄収容出来るワイヤガイド受容部が形成されており、ワイヤガイドの壁なし開放部で金属接触端子を圧入して導通を得ることを特徴とするモジュラプラグ。
【請求項２】
請求項１において、プラグハウジングのワイヤガイド受容部の上方内壁面に、ワイヤガイドの収容時に、ワイヤガイドの上方壁に形成された突状のガイドレールと同じライン上に突状のガイドレールをそれぞれ配置させ、ワイヤガイドの壁なし開放部に配列されている心線を並行に整列して誘導させ、ワイヤガイドの壁なし開放部で金属接触端子を圧入して導通を得ることを特徴とするモジュラプラグ。
【請求項３】
請求項１において、上方壁の前方には壁なし開放部と絶縁心線を保持する為の両側の側壁が形成されており、前記両側の側壁につなげて心線の脱落防止用上方壁を形成したことを特徴とするモジュラプラグ。
【請求項４】
４条の対より心線からなる絶縁心線をセパレータ付きワイヤガイドで配列保持したセパレータ付きワイヤガイドケーブルをプラグハウジングに嵌合させたモジュラプラグにおいて、セパレータハウジングに３箇所の離隔用孔を一列に形成し、かつ、その中央上部に１箇所の離隔用溝を配置し、前記３個所の離隔用孔の内、中央に位置する離隔用孔と中央上部に形成された離隔用溝の前方に、装着された対より心線のよりを戻し、配列する為のスペースを設けたセパレータハウジングを形成し、セパレータハウジングの後方から４条の対より心線を前記離隔用孔と離隔用溝に装着した後、４条の対より心線のよりを戻して、８本の絶縁心線を、前記離隔用孔の水平前方方向に一列に整列して並行整列部を形成し、その並行整列部を先端側にしたケーブル端末をワイヤガイドの後方側から挿入してワイヤガイドの後方側に形成された心線収容スペースに整列した心線を収容し、かつ、ワイヤガイドの後端にセパレータハウジングの前端面を合わせてセパレータとワイヤガイドを係止させて一体化させたことを特徴とするモジュラプラグ。
【発明の詳細な説明】
【０００１】
【発明が属する技術分野】
本発明は、ワイヤガイド付きケーブルとセパレータ付きワイヤガイドケーブルをプラグハウジングに嵌合させたモジュラプラグに関し、特に、ＬＡＮ等に使用される高速伝送特性を有するモジュラプラグで、漏話減衰量（クロストーク）特性の安定化と反射減衰量（リターンロス）特性の劣化防止をはかり、絶縁心線の結線作業性の向上だけでなく、ＬＡＮ用コネクタ等に使用することにより、誰にでも容易に安定した性能を維持することを可能にするモジュラプラグに関する。
【０００２】
【従来の技術】
従来のモジュラプラグ１″は、図５（ハ）に示すように導電性を有する金属接触端子２６″を装備したプラグハウジング２″と絶縁心線１９″を１列に整列させる心線整列部品２９″から構成されている。対より心線２０″のよりを戻して、各心線を並行状に仮整列して心線整列部品２９″に挿入し、整列が崩れないように固定した後、モジュラプラグハウジングの開口部３″へ挿入して接続させる。心線配列作業を容易にする為には、各対より心線２０″を１列に並列させることが必要であった。ＬＡＮ用プラグにおいては、心線の配列が規定されており、対より心線のよりを戻した場合、対よりを構成する２本の心線の長さが一定とならず、漏話減衰量を均一化させることが困難であった。
【０００３】
【発明が解決しようとする課題】
このように従来構造は、図４に示すように、絶縁心線１９′の各対のよりを戻した場合、各対の２本の心線の長さが異なってしまう。これにより、対の平衡度が悪化し、漏話減衰量特性が劣化してしまうという欠点があった。又、対よりの戻し位置が一定でない為、漏話減衰量の低減化には構造的に限界があった。一方、プラグハウジング製品毎の対のより戻し長が不均一になる為、各対より心線の配置がケーブルと同一に維持することが出来ず、各対のインピーダンスが変化することによって、反射減衰量特性が劣化し易い構造であった。これに対して、我々は、同日に特許出願した図５（イ）、（ロ）に示すようなセパレータハウジング１５′を発明することにより、ほぼ解決することが出来た。しかしながら、新たに作業性や技術面で更に高速性能化をはかったモジュラプラグの出現が要望されている。
【０００４】
【課題を解決する為の手段】
本発明は、これらの問題を解決する為に、鋭意検討した結果、第１に、４条の対より心線からなる絶縁心線をワイヤガイドで配列保持したワイヤガイド付きケーブルをプラグハウジングに嵌合させたモジュラプラグにおいて、ワイヤガイドの後方の上下方向に心線が挿入される水平方向に対して４５度以下のテーパ内壁面と両側の側壁を設け、絶縁心線の挿入と並列誘導を容易にする為に、後方に行く程、上下方向が幅広となる絶縁心線受入れ開口部を形成し、かつ、前記絶縁心線受入れ開口部の上下の内壁面には絶縁心線を誘導する為の突状のガイドレールがそれぞれ並行に形成され、上側内壁面に形成された突状のガイドレールは、上方壁の先端部迄延長して形成され、他方、下側内壁面に形成された突状のガイドレールは、ワイヤガイドの先端部迄延長して形成されており、かつ、絶縁心線を保持する為に前記上方のテーパ内壁面につなげて形成した上方壁と両側の側壁で箱状構造を形成し、前記上方壁の前方には壁なし開放部を形成し、壁なし開放部の両側には絶縁心線を保持する為の側壁が形成された構造を有するワイヤガイドに、４条の対より心線のよりを戻した後、並行整列部を形成し、その先端側をワイヤガイドの後方から挿入し、ワイヤガイド先端面から余長心線を引き出し、テーパ内壁面に対より部を突き当てることで、常により戻しの開始位置を一定に出来、かつ、ワイヤガイドの前端面を基準に容易に心線の切断が行え、更に、プラグハウジングの内部にはワイヤガイドをプラグハウジングに装着された金属接触端子の下部迄収容出来るワイヤガイド受容部が形成されており、ワイヤガイドの壁なし開放部で金属接触端子を圧入して導通を得るモジュラプラグで、第２に、第１のプラグハウジングのワイヤガイド受容部の上方内壁面に、ワイヤガイドの収容時に、ワイヤガイドの上方壁に形成された突状のガイドレールと同じライン上に突状のガイドレールをそれぞれ配置させ、ワイヤガイドの壁なし開放部に配列されている心線を並行に整列して誘導させ、ワイヤガイドの壁なし開放部で金属接触端子を圧入して導通を得るモジュラプラグで、第３に、第１の上方壁の前方には壁なし開放部と絶縁心線を保持する為の両側の側壁が形成されており、前記両側の側壁につなげて心線の脱落防止用上方壁を形成したモジュラプラグで、第４に、４条の対より心線からなる絶縁心線をセパレータ付きワイヤガイドで配列保持したセパレータ付きワイヤガイドケーブルをプラグハウジングに嵌合させたモジュラプラグにおいて、セパレータハウジングに３箇所の離隔用孔を一列に形成し、かつ、その中央上部に１箇所の離隔用溝を配置し、前記３個所の離隔用孔の内、中央に位置する離隔用孔と中央上部に形成された離隔用溝の前方に、装着された対より心線のよりを戻し、配列する為のスペースを設けたセパレータハウジングを形成し、セパレータハウジングの後方から４条の対より心線を前記離隔用孔と離隔用溝に装着した後、４条の対より心線のよりを戻して、８本の絶縁心線を、前記離隔用孔の水平前方方向に一列に整列して並行整列部を形成し、その並行整列部を先端側にしたケーブル端末をワイヤガイドの後方側から挿入してワイヤガイドの後方側に形成された心線収容スペースに整列した心線を収容し、かつ、ワイヤガイドの後端にセパレータハウジングの前端面を合わせてセパレータとワイヤガイドを係止させて一体化させたモジュラプラグである。
【０００５】
【発明の実施の形態】
【発明の実施形態】
本発明のモジュラプラグ１について具体的に説明する。
【０００６】
始めに、本発明の第１実施例であるワイヤガイド付きケーブル５について図１を参照して説明する。図１（イ）は、本発明のワイヤガイド４とワイヤガイド付きケーブル５の斜視図であり、図１（ロ）は、本発明のワイヤガイド４がプラグハウジング２の開口部３へ挿入した後の状態をモジュラプラグ１の側面からみた断面図である。図から明らかなように、第１に、ワイヤガイド４の後方の上下方向に心線が挿入される水平方向に対して４５度以下のテーパ内壁面８と両側の側壁１３を設け、絶縁心線１９の挿入と並列誘導を容易にする為に、後方に行く程、上下方向が幅広となる絶縁心線受入れ開口部７を形成し、かつ、前記絶縁心線受入れ開口部７の上下の内壁面には絶縁心線を誘導する為の突状のガイドレール１０がそれぞれ並行に形成され、上側内壁面に形成された突状のガイドレール１０は、上方壁１１の先端部迄延長して形成され、他方、下側内壁面に形成された突状のガイドレール１０は、ワイヤガイド４の先端部迄延長して形成されており、かつ、絶縁心線１９を保持する為に前記上方のテーパ内壁面につなげて形成した上方壁１１と両側の側壁１３で箱状構造を形成し、前記上方壁１１の前方には壁なし開放部１２を形成し、壁なし開放部１２の両側には絶縁心線１９を保持する為の側壁１３が形成された構造を有するワイヤガイド４に、４条の対より心線２０のよりを戻した後、並行整列部Ｂを形成し、その先端側をワイヤガイド４の後方から挿入し、ワイヤガイド４先端面から余長心線を引き出し、テーパ内壁面８に対より部を突き当てることで、常により戻しの開始位置を一定に出来、かつ、ワイヤガイド４の前端面を基準に容易に心線の切断が行え、更に、プラグハウジング２の内部にはワイヤガイド４をプラグハウジング２に装着された金属接触端子２６の下部迄収容出来るワイヤガイド受容部６が形成されており、ワイヤガイド４の壁なし開放部１２で金属接触端子２６を圧入して導通を得るモジュラプラグ１である。次に、第２としては、第１のプラグハウジング２のワイヤガイド受容部６の上方内壁面には、ワイヤガイド４の収容時に、ワイヤガイドの上方壁に形成された突状のガイドレール１０と同じライン上に突状のガイドレール２７をそれぞれ配置させ、ワイヤガイド４の壁なし開放部１２に配列されている心線を並行に整列して誘導させ、ワイヤガイドの壁なし開放部１２で金属接触端子２６を圧入して導通を得るモジュラプラグ１である。更に、第３として、第１の上方壁１１の前方には壁なし開放部１２と絶縁心線を保持する為の両側の側壁１３が形成されており、前記両側の側壁１３につなげて心線の脱落防止用上方壁１４を形成したモジュラプラグ１である。ここで、心線の脱落防止用上方壁１４を設けた方が心線が脱落せず、好ましい結果を示したが、単に直線状に形成した側壁でも使用することは可能である。
次に、本発明の第２実施例であるセパレータ付きワイヤガイドケーブル２１について図２を参照して説明する。図２（イ）は、本発明の対より心線２０をセパレータハウジング１５に装着後ワイヤガイドに係止させて一体化したセパレータ付きワイヤガイドケーブル２１の構造で、図２（ロ）は、セパレータ付きワイヤガイドケーブル２１を側面からみた断面図である。図から明らかなように、４条の対より心線２０からなる絶縁心線１９をセパレータ付きワイヤガイドで配列保持したセパレータ付きワイヤガイドケーブル２１をプラグハウジング２に嵌合させたモジュラプラグ１において、セパレータハウジング１５に３箇所の離隔用孔２２を一列に形成し、かつ、その中央上部に１箇所の離隔用溝２３を配置し、前記３個所の離隔用孔の内、中央に位置する離隔用孔と中央上部に形成された離隔用溝の前方に、装着された対より心線２０のよりを戻し、配列する為のスペース２４を設けたセパレータハウジング１５を形成し、セパレータハウジング１５の後方から４条の対より心線２０を前記離隔用孔２２と離隔用溝２３に装着した後、４条の対より心線２０のよりを戻して、８本の絶縁心線１９を、前記離隔用孔２２の水平前方方向に一列に整列して並行整列部Ｂを形成し、その並行整列部Ｂを先端側にしたケーブル端末１８をワイヤガイド４の後方側から挿入してワイヤガイド４の後方側に形成された心線収容スペースＣに整列した心線を収容し、かつ、ワイヤガイド４の後端にセパレータハウジング１５の前端面を合わせてセパレータハウジング１５とワイヤガイド４を係止させて一体化させたモジュラプラグ１である。ここで、中央に位置する離隔用孔２２と中央上部に形成された離隔用溝２３の前方に、対より心線２０のよりを戻して配列する為のスペース２４を設けた構造であるので、
１．４条の対より心線２０のより戻し開始位置がセパレータハウジング１５の前端面で常に一定になり、かつ、各対より心線２０の中心線上に対してそれぞれ左右対称に配列される為、各対を構成する２本の心線の長さが常に同一。（図２の拡大平面図と図４参照）
２．中央上部から下がってくる２本の心線は、他の６本の心線と常に一定の角度（ほぼ４５度）を持って配列される。
３．中央上部の２本の心線は、他の６本の心線と、常にセパレータハウジングの前方の定位置で整列される。
又、セパレータハウジング１５とワイヤガイド４を係止させて一体化させた例として、ロック部１７を設けた例を図示したが、単に挿入し、突き当てて一体化させたものでも構わない。次に、図３は、本発明の第２実施例で、セパレータハウジング１５をロック部１７で係止させて一体化したワイヤガイド４をプラグハウジング２の開部部３に挿入する前と挿入後の状態を側面からみた断面図である。ここで、プラグハウジング２の内壁には、突状のガイドレール２７が設けられている為、剥き出しになっている整列心線が多少ばらけていても心線を再整列する機能を有し、金属接触端子２６の接続位置に整列され、確実な接触が得られることになる。次に、本発明のモジュラプラグへの結線方法について、具体的実施例下記に説明する。
１．心線毎に色付けされた４条の対より心線１１からなるケーブルのシース（図示せず）を剥き、対より心線２０を取り出し、各対より心線２０を１列に配置された３個所の孔２２及びその中央上部に配置された１個所の溝２３に各々挿入して保持させる。
２．前記の各孔２２及び溝２３で離隔された各対より心線２０をケーブルのシース端がセパレータハウジング１５の後端面に突き当たる迄引張って位置決めし、セパレータハウジング１５の前端面を基準に各対より心線２０のよりを戻す。
３．前記３個所の孔２２で保持され、よりを戻した６本の心線を、決められた順（例えば、図４の１２，４５，７８）に１列の並行状に仮整列する。
４．前記中央上部の溝２３で保持され、スペース９の部分で対より心線２０のよりを戻すので、先に水平方向に配列された他の６本の心線に対して常に一定の角度（ほぼ４５度）を持って配線されると同時に他の６本の心線間の決められた位置（例えば、図４の３６）に配列され、かつ、常にセパレータハウジング１５の前方の定位置で整列されることになる。
５．１列の並行状に仮整列されたケーブル端末１８をワイヤガイド４に挿入し、整列が崩れないように保持する。（セパレータハウジング１５とワイヤガイド４を係止させて一体化して組み立てることにより、整列構造を保持、固定する）
６．ワイヤガイド４の前端面を基準に心線を切断する。
７．導電性を有する金属接続端子２６を装備したプラグハウジング２のワイヤガイド誘導機能を有するプラグハウジング２の内壁面に沿わせるようにワイヤガイド受容部６に挿入する。
８．この時、各対より心線２０を離隔し、位置決めされたセパレータハウジング１５は、ケーブルシース端にその後端面を突き当てて位置決めされているので、セパレータハウジング１５の後端面に突き当てたケーブルシースでセパレータハウジング１５を押すことにより、導電性を有する金属接続端子２６を装備したプラグハウジング４の心線挿入部に容易に挿入することが出来る。
９．プラグハウジング４の心線挿入部に心線を挿入後、各心線の上部に位置されている金属接続端子２６を各心線に圧入させて結線が完了する。
更に、本発明のワイヤガイド４やセパレータハウジング１５は、以上のような構造である為、下記の効果が得られる。
１．ワイヤガイド４の効果
１−１．ワイヤガイド４のテーパ内面壁８に対より部を突き当てることで、常により戻しの開始位置を一定に出来、よりを戻し並行に配列される各対の２本の心線の長さを一定長に保持したまま容易にプラグハウジング２へ嵌合出来、漏話減衰量を均一化することが可能になる。
２．セパレータハウジング１５の効果
２−１．セパレータハウジング１５により、セパレータハウジング１５の前端面まで対より心線２０の配置がケーブルと同一に維持される為、対より心線２０の配列の乱れによるインピーダンスの変動が最小限に抑えられ、反射減衰量の劣化を防止することが出来る。
２−２．セパレータハウジング１５を使用することによって、対より心線２０の距離を離隔すると同時に、配置を均一に出来る為、対より心線２０間の漏話減衰量を均一に抑えられる。又、対のより戻し位置をセパレータハウジング１５の前端面で揃えられる為、対のより戻し長を容易に一定にすることが出来、漏話減衰量を安定化させることが出来る。
２−３．セパレータハウジング１５の離隔用孔２２又は溝２３の配置により、各対より心線２０は、各々中心線上に対して左右対称に配置され、各対の２本線の長さを同一とすることが出来、心線の長さの差により生じる平衡度の劣化を抑え、漏話減衰量を低減させることが出来る。
３．ワイヤガイド４とセパレータハウジング１５の組み合わせの効果
３−１．並行整列部Ｂを先端側にしたケーブル端末１８をワイヤガイド４の後端側から挿入し、ワイヤガイド４の後端に形成された心線収容スペースＣでセパレータハウジング１５の前方で配列された心線を収容した後、ワイヤガイド４とセパレータハウジング１５を係合させて一体化させたので、心線のくずれがなく、常に安定した配列状態を維持することが出来るので、漏話減衰量を均一化することが出来る。
３−２．ワイヤガイド４とセパレータハウジング１５が係合されて一体化されているので、セパレータ付きワイヤガイドケーブル２１がワンセットでプラグハウジング２に嵌合されるので、結線作業性がより容易になる。
【０００７】
本発明品と従来品並びに他社品との漏話減衰量特性に関する性能比較を行った結果を以下の表１に示す。ここで、本発明品は、ワイヤガイド４とセパレータハウジング１４の組み合わせからなる本発明の第２実施例を使用した。
【０００８】
【表１】
2004063160.tif 000003
【０００９】
このことから、本発明品は、従来品や他社品に比べて、要求特性範囲に入っているばかでなく、バラツキの幅が小さいことがわかる。
【００１０】
今迄、代表的な例として、プラグハウジングに３個所の孔やその中央上部に形成された１個所の離隔用溝を挙げたが、それぞれを溝や孔にしても使用することは可能である。又、ワイヤガイドのテーパ内壁面をやや丸みを帯びた形状の内壁面にしても構わない。このように、ハウジング・セパレータハウジング・ワイヤガイド・突状のガイドレールレール・金属接触端子の形状等これに限らず、設計変更に伴う多少の変形例でも一向に構わず、本発明の範囲内であることはいうまでもない。
【００１１】
【発明の効果】
以上の説明の様に、本発明のモジュラプラグ１によれば、
１．漏話減衰量特性の安定化がはかれる。
２．反射減衰量特性の劣化防止がはかれる。
３．絶縁心線の結線作業性の向上をはかれる。
４．ＬＡＮ等の高速伝送のコネクタ製品に使用した場合、誰でも容易に安定した性能を維持させることが出来ので、その工業的価値は非常に大きい。
【図面の簡単な説明】
【図１】（イ）本発明の第１実施例で、ワイヤガイド４の断面図と斜視図並びにワイヤガイド付きケーブル５の斜視図である。
（ロ）本発明のワイヤガイド４がプラグハウジング２の開口部３へ挿入した後の状態をモジュラプラグ１の側面からみた断面図である。
【図２】（イ）本発明の第２実施例で、対より心線２０をセパレータハウジング１５に装着した後、４条の対より心線２０のよりを戻して、並行整列部Ｂを形成し、一列に整列した絶縁心線１９を先端側にしたケーブル端末１８をワイヤガイド４に挿入し、ロック部１７で固定する構造の斜視図並びにケーブル端末１８の拡大平面図と拡大側面図である。
（ロ）本発明の第２実施例で、対より心線２０をセパレータハウジング１５に装着したケーブル端末１８をワイヤガイド４に挿入した後の状態のセパレータ付きワイヤガイドケーブル２１を側面からみた断面図である。
【図３】本発明の第２実施例で、セパレータハウジング１５を係止させて一体化したワイヤガイド４をプラグハウジング２の開口部３に挿入する前と挿入後の状態を側面からみた断面図である。
【図４】本発明と従来の絶縁心線の配列構造の比較説明図である。
【図５】（イ）従来のセパレータハウジング１５′の斜視図並びに対より心線２０′をセパレータハウジング１５′に装着した後のケーブル端末１８′の斜視図である。
（ロ）従来のセパレータハウジング１５′に対より心線２０′を装着したケーブル端末１８′がプラグハウジング２′の開口部３′へ挿入した後の状態をモジュラプラグ１′の側面からみた断面図である。
（ハ）従来の心線整列部品２９″の斜視図と心線整列部品２９″がプラグハウジング２″の開口部３″に挿入された後の状態をモジュラプラグ１″の側面からみた断面図である。
【符号の説明】
１　　　本発明のモジュラプラグ
２　　　プラグハウジング
３　　　開口部
４　　　ワイヤガイド
５　　　ワイヤガイド付きケーブル
６　　　ワイヤガイド受容部
７　　　絶縁心線受入れ開口部
８　　　テーパ内壁面
９　　　絶縁心線挿入孔
１０　　　突状のガイドレール（ワイヤガイド内壁）
１１　　　上方壁
１２　　　　　　壁なし開開放部
１３　　　　　　側壁（ワイヤガイド）
１４　　　　　　心線の脱落防止用上方壁
１５　　　　　　セパレータハウジング
１６　　　　　　セパレータ付きワイヤガイド
１７　　　　　　ロック部
１８　　　　　　ケーブル端末
１９　　　　　　絶縁心線
２０　　　　　　対より心線
２１　　　　　　セパレータ付きワイヤガイドケーブル
２２　　　　　　離隔用孔
２３　　　　　　離隔用溝
２４　　　　　　スペース
２５　　　　　　側壁（セパレータハウジング）
２６　　　　　　金属接触端子
２７　　　　　　突状のガイドレール（プラグハウジング内壁）
２８　　　　　　レバー
Ａ　　　対より部
Ｂ　　　並行整列部
Ｃ　　　　　　心線収容スペース
１′　　従来のモジュラプラグ
２′　　プラグハウジング
３′　　開口部
１５′　　　　セパレータハウジング
１８′　　　　ケーブル端末
１９′　　絶縁心線
２０′　　　　対より心線
２２′　　　　離隔用孔
２３′　　　　離隔用溝
２４′　　　　スペース
２５′　　　　側壁
２６′　　　　金属接触端子
２７′　　　　突状のガイドレール（プラグハウジング内壁）
２８′　　　　レバー
１″　　従来のモジュラプラグ
２″　　プラグハウジング
３″　　開口部
９″　　絶縁心線挿入孔
１９″　　絶縁心線
２０″　　　対より心線
２６″　　　金属接触端子
２９″　　　　心線整列部品
【図１】
2004063160.tif 000004
【図２】
2004063160.tif 000005
【図３】
2004063160.tif 000006
【図４】
2004063160.tif 000007
【図５】
2004063160.tif 000008